(57)【要約】【課題】製造、組み立てが簡単であり、軸心が脱落するのを防ぎ、塵や埃によって中心軸の回転が妨げられることがなく、使用年限の延長が可能である放熱ファンの羽根部分のベアリング構造を提供する。【解決手段】  本考案の放熱ファン放熱ファン装置は、プラスチックスチール材質のベアリングがある。このベアリングは一体成型の中が空洞の円柱型の本体を持ち、この本体の底部は外径が比較的大きく、外に広がった支柱台座を形成している。さらに、支柱台座の底部のくぼんだ部分に穴があり、本体の中心には固定穴がある。そして、本体の上段には固定穴の頂上部分の周辺に突起部分が伸びている。上述のベアリング構造により、放熱ファンに取り付けると、ファンの羽の回転中心軸は固定穴を通過し、中心軸の周囲にあるリング槽に対応し、周囲の突起部分が中心軸のリング槽にはまり込んで固定される。そして、C型フックによって、穴の中に取り付け、中心軸の上にしっかりと固定する。  【選択図】  図１
0003102377.tif 000002
【実用新案登録請求の範囲】
【請求項１】
プラスチックスチール材質のベアリングからなり、このベアリングは、一体成型の中が空洞の円柱型をした本体で、本体の底端は外側がやや広がった支柱台座を形成していて、さらに、支柱台座の底部のくぼみには槽穴があって、本体の中心には固定穴があって、本体の上段には固定穴の先端の周辺から伸びた一体の周辺の突起部分があり、上述の設計により、ベアリングは放熱ファンに取り付けられ、ファンの羽の中心軸がその固定穴の中に挿入され、中心軸の周囲の面はリング状槽の位置に対応し、突起部分が中心軸のリング槽の中に挿入されて固定され、さらに、C型フックが槽穴の中に挿入されることにより、中心軸にしっかりと固定されるという特長を持つ、放熱ファンの羽部分のベアリング構造。
【請求項２】
支柱台座の周囲が上に向かって外側に広がった台形になっている、請求項1に記載の放熱ファンの羽部分のベアリング構造。
【請求項３】
固定穴が槽穴に貫通して連結した、請求項1に記載の放熱ファンの羽部分のベアリング構造。
【請求項４】
固定穴の先端に伸びた一体の突起部分が、リング状槽の中に挿入されて、リング状槽との間に小さな空間を保っているという特長を持つ、請求項1に記載の放熱ファンの羽部分のベアリング構造。
【考案の詳細な説明】
【技術分野】
【０００１】
本考案は放熱ファン装置に関わる。特に、その放熱ファンの羽の軸心のベアリング構造を指す。
【背景技術】
【０００２】
従来の放熱ファンの、羽の中心軸のベアリング構造は、ベアリング、オイルシール、ワッシャー、そして、C型フック等の数個の部品からなる。その組み立てには相当の時間と手間、そして、コストがかかる。さらに、そのベアリングは長時間使用すると、磨耗し、運転時に騒音が発生したり、運転がスムーズに行かなかったりして、製品の寿命に影響する。また、比較的進歩した「効率的なベアリング」（図５参照）は、部品及び組み立ての手順を簡素化している。
【０００３】
図５を参照いただきたい。この「効率的なベアリング」は、ベアリング本体１１′の前端の周囲に固定突起部分１２′がある。この固定突起部分１２′の先端は円形突起部分１３′を形成している。ベアリング１′は放熱ファンの中に取り付けられていて、放熱ファンの台座２′は、放熱ファンの軸カバー２１′の中に挿入されている。軸カバー２１′外側には固定子コイル２２′取り付けられている。ファンの羽２３′のケース２４′の中には中心軸２５′があって、下に向かって軸カバーに中に挿入されていて、さらに、下に向かってベアリング１′の中に押し込まれた形になっている。中心軸２５′の末端が円形をしていることにより、円形のヘッド２６′が導入しやすくなっていて、周囲の固定突起部分１２′を外に向かって広げる。そして、内側から引き締まり、周囲の固定突起部分１２′の円形突起部分１３′が中心軸２５′のくぼみ２７′の中に固定される。さらに、支柱台座３′が放熱ファンの台座２′にはまり、支柱台座３′先端に形成されたくぼみ面３１′と中心軸２５′末端の円形の円形ヘッド２６′がぴったり合って、放熱ファンの組み立てが完了する。
【０００４】
上述の従来のベアリング構造は、別に支柱台座３′を取り付けてはじめて、台座２′の開口部をふさぐことができる。さらに、その支柱台座３′は中心軸２５′末端の円形ヘッド２６′がくぼみ面３１′とぴったりと合って、ファンの羽２３′の下の縁を支える。しかしながら、この従来のベアリングは、ベアリング本体１′及び支柱台座３′二つのパーツによってはじめて組み立てが完了するので、もう少しシンプルにする必要があると思われる。
【０００５】
また、ファンの羽２３′ケース２４′内部の永久磁石４′内面と固定子コイル２２′周囲の磁力線は互いに作用しあって、ファンの羽23′を動かし、ファンの羽２３′は適度な区間で、まず上下の位置を自動的に調整し、バランスを取った後、高度を調整して回転する。そして、上述のベアリング構造は、周囲の固定突起部分１２′の円形突起部分１３′を、緊密に中心軸２５′のくぼみ２７′の中にはめ込む。そして、ファンの羽２３′が回転すると、中心軸２５′のくぼみ２７′面が周囲の固定突起部分１２′の円形突起部分１３′の制限を受けて、ファンの羽２３′の上下の位置を、その力を自動的に調整して決め、直接、円形突起部分１３′とくぼみ２７′を緊密にカーブ面に接触させる。さらに、接触カーブ面の面積が大きいことにより、摩擦力が大きくなり、ファンの羽２３′が安定して回転するのを妨げるので、故障の原因となり、製品の寿命に影響することになる。
【考案の開示】
【考案が解決しようとする課題】
【０００６】
本考案が解決しようとする課題は、上記従来の問題点を解決することにある。
【課題を解決するための手段】
【０００７】
本考案の放熱ファン装置は、プラスチックスチール材質のベアリングがある。このベアリングは一体成型の中が空洞の円柱型の本体を持ち、この本体の底部は外径が比較的大きく、外に広がった支柱台座を形成している。さらに、支柱台座の底部のくぼんだ部分に穴があり、本体の中心には固定穴がある。そして、本体の上段には固定穴の頂上部分の周辺に突起部分が伸びている。上述のベアリング構造により、放熱ファンに取り付けると、ファンの羽の回転中心軸は固定穴を通過し、中心軸の周囲にあるリング槽に対応し、周囲の突起部分が中心軸のリング槽にはまり込んで固定される。そして、C型フックによって、穴の中に取り付け、中心軸の上にしっかりと固定する。したがって、このベアリング構造は、製造、組み立てが簡単であるという特長を持つ。さらに、周囲の突起部分と中心軸のリング槽の組み立て設計は、軸心が脱落するのを防ぎ、優れた防塵効果を発揮するので、塵や埃によって、中心軸の回転が妨げられることがない。同時に、磁力の制限作用の自己調整作用を考慮しているので、使用年限の延長が可能である。
【考案の効果】
【０００８】
本考案のベアリング構造には以下のような効果がある。
１）製造が簡単である。このタイプのプラスチックスチール材質のベアリングは設計が簡単で、一体成型で製造でき、生産は容易である。
２）軽量化。このタイプのプラスチックスチール材質のベアリングは重量が軽い。
３）オイルの注入が不要。このタイプのプラスチックスチール材質のベアリングは自潤性があるので、オイルを注入する必要がない。
４）低騒音。このタイプのプラスチックスチール材質のベアリングは一体成型で製造できるため、精密度が高く、磨耗に耐える特殊材料を使用していることにより、摩擦が低く、したがって、騒音が発生しにくい。
５）寿命が長い。このタイプのプラスチックスチール材質のベアリングは、磨耗の耐える性質が高い特殊な材質を使用しているので、強度に優れている。したがって、製品の寿命が長い。
６）組み立てが簡単である。このタイプのプラスチックスチール材質のベアリングは、一体成型で製造されるので、単一パーツである。したがって、組み立てや分解が簡単である。
７）メンテナンスが不要。このタイプのプラスチックスチール材質のベアリングは、一種の耐蝕性のステンレス特殊材料を使用している。自潤性を持ち、潤滑オイルの必要がないため、メンテナンスが不要である。
８）製造コストが低い。このタイプのプラスチックスチール材質のベアリングは、一体成型であるため、単一パーツである。したがって、従来のベアリングに比べて、部品が四分の三節約できる。さらに、オートメーションによる組み立てが可能で、人手が三分の二節約できる。したがって、製造コストを低く抑えることができる。
【考案を実施するための最良の形態】
【０００９】
図１から図４を参照いただきたい。本考案のベアリング構造は、プラスチックスチール材質のベアリング１からなる。このベアリング１は、一体成型の中が空洞の円柱型をした本体１１で、本体１１の底端は外側がやや広がった支柱台座１２を形成している。さらに、支柱台座１２の底部のくぼみには槽穴１２１がある。そして、本体１１の中心には固定穴１３があって、本体１１の上段には固定穴１３の先端の周辺から伸びた一体の周辺の突起部分１４がある。
上述の支柱台座１２の周囲は、上に向かって徐々に外径が広くなった台形になっている。
上述の固定穴１３は、槽穴１２１に貫通して連なっている。
【００１０】
本考案の実施例については図１から図３を参照いただきたい。本考案の放熱ファンのフレームの台座２には軸カバー２１が取り付けてある。この軸カバー２１の先端は穴２２を形成している。軸カバー２１の内部の収納空間２３の根元の縁には逆向きの鈎槽２４がある。この逆向きの鈎槽２４は、外側がせまく、内側が広いので、ベアリング１底部の支柱台座１２の周囲の形状に対応するようになっている。上述の軸カバー２１外部は固定子コイル２５にかぶさっている。放熱ファンの羽２６のケース２６１底部の中間には、中心軸２６２がある。ケース２６１内にはモーターケース２６３があり、モーターケース２６３内は永久磁石２６４が取り囲んでいる。中心軸２６２表面にはリング状槽２６５があり、リング状槽２６５の設置位置は、上述の固定穴１３先端周辺から伸びた一体の突起部分１４が結合状態の時の位置に対応する。
【００１１】
図２を参照いただきたい。取り付ける際は、まずベアリング１を、台座２の軸カバー２１に向かって強制的に押し入れることで、本体１１周囲の面は、軸カバー２１内部の収納空間２３に挟まれる。また、支柱台座１２が強制的に逆向きの鈎槽２４に押し入れられることで、支柱台座１２は逆向きの鈎槽２４としっかり結合して固定される。
【００１２】
図３を参照いただきたい。固定子コイル２５は軸カバー２１の表面に取り付けられる。そして、ファンの羽２６の中心軸２６２は、固定穴１３から下に向かってベアリング１の中に挿入されて、中心軸２６２は引き続き固定穴１３の先端の周囲に延びた一体の突起部分１４に挿入され、リング状の槽２６５内に固定される。そして、周囲の突起部分１４とリング状の槽２６５の間には小さな空間が保たれる（図４を参照いただきたい）。最後に、C型フック３が槽穴１２１中に挿入され、中心軸２６２に固定されて、放熱ファンの組み立てが完了する。
【００１３】
上述の設計により、ベアリング１は放熱ファンの中心軸２６２がその固定穴１３の中に挿入され、中心軸２６２の上端は、周囲の突起部分１４とリング状槽２６５によって固定され、中心軸２６５の下端はC型フック３に固定され、中心軸２６５は固定穴１３の中に挿入されて、リング状槽２６５の口径の範囲において上下に移動する。したがって、電源が供給された時、固定子コイル２５が磁力を発生し、ファンの羽２５のケース２６３内部に設置した永久磁石２６４が磁力線が互いに作用して、回転する時、そのファンの羽２６は適度な区域内で、まず上下移動して、自動的にバランスを取り、この高度を保って安定した回転をする。
【００１４】
上述の説明からわかるように、本考案のベアリングは、一個の一体成型のベアリング１構造設計であり、組み立てが便利で、実用的であるという特長を持つ。また、固定穴１３の先端の周囲に延びた一体の突起部分１４が中心軸２６２のリング状槽２６５の中に挿入されて、中心軸２６２を固定する外、ファンの羽２６が回転する時に脱落するのを防いでいる。さらに、固体穴１３の先端の縁の口径に対して、良好な防塵遮蔽効果を発揮するので、塵や埃が固定穴１３に入り込むのを防ぐ。したがって、中心軸２６５が回転する際の摩擦力を減少させると同時に、この突起部分１４と中心軸２６２のリング状槽２６５が組み立ての際にわずかな隙間を有し、ファンの羽２６が回転する時に、中心軸２６５がリング状槽２６５の口径範囲において、小さな上下移動をして、自動的にバランスを調整するという特長がある。したがって、中心軸２６５が回転するときの摩擦が軽減されるのである。
【図面の簡単な説明】
【００１５】
【図１】本考案の関連パーツの分解図である。
【図２】本考案の軸受けをファンの台座に取り付けた状態を示した見取り図である。
【図３】本考案の放熱ファンの組み立てが完成した実施例の断面図である。
【図４】本考案の軸受けと中心軸を組み合わせた状態の部分拡大図である。
【図５】従来の放熱ファン装置に取り付けた軸受けの組み立て状態を示した断面図である。
【符号の説明】
【００１６】
１      ベアリング                  １１      本体
１２    支柱台座                    １２１    槽穴
１３    固定穴                      １４      周囲の突起部分
２      台座                        ２１      軸カバー
２２    穴                          ２３      収納空間
２４    逆向き鈎槽                  ２５      固定子コイル
２６    ファンの羽                  ２６１    ケース
２６２  中心軸                      ２６３    モーターのケース
２６４  永久磁石                    ２６５    リング状槽
３      C型フック            
１′    ベアリング                １１′      ベアリング本体
１２′  周囲の固定突起部分        １３′      円形突起部分
２′    台座                      ２１′    軸カバー
２２′    固定子コイル            ２３′    ファンの羽
２４′    ケース                  ２５′    中心軸
２６′    円形ヘッド部分          ２７′    くぼみ
３′      支柱台座                ３１′    くぼみ面
４′      永久磁石    
【図１】
0003102377.tif 000003
【図２】
0003102377.tif 000004
【図３】
0003102377.tif 000005
【図４】
0003102377.tif 000006
【図５】
0003102377.tif 000007